(57)【要約】【課題】パッテングにおける正確な距離感が習得できる上に、到達距離の確認に基づくヘッドアップの悪習が身につくことがなく、かつグリーン上のカップインの感覚が実感できる簡便なゴルフパター練習機を提供することを目的とする。【解決手段】パターでボールを打ち出し、ストロークの強さによってボールの転がる距離を正確に習得できるパター練習機において、一端を高くした傾斜を有する平板状の傾斜板に人工芝マットを敷設し、その傾斜板の下端部にボールを打ち出すための水平な人工芝マットを接続し、前記傾斜板の両側端部及び上端部に上方に突出する突出縁を設け、さらに人工芝マット付き傾斜板には横長方形のホールが複数個設けられたことを特徴とするゴルフパター練習機。【選択図】      図１
2005324005.tif 000002
【特許請求の範囲】
【請求項１】
パターでボールを打ち出し、ストロークの強さによってボールの転がる距離を正確に習得できるパター練習機において、一端を高くした傾斜を有する平板状の傾斜板に人工芝マットを敷設し、その傾斜板の下端部にボールを打ち出すための水平な人工芝マットを接続し、前記傾斜板の両側端部及び上端部に上方に突出する突出縁を設け、さらに人工芝マット付き傾斜板には横長方形のホールが複数個設けられたことを特徴とするゴルフパター練習機。
【請求項２】
水平な人工芝マットが人工芝マットを敷設した床板からなることをを特徴とする請求項１記載のゴルフパター練習機。
【請求項３】
傾斜板が水平な人工芝マットに対して４５〜７０度の角度をなし、かつ傾斜板と床板との接続部近傍の傾斜板に滑らかなアールを形成したことを特徴とする請求項１又は２記載のゴルフパター練習機。
【請求項４】
人工芝マット及び傾斜板に設ける横長方形のホールが横７〜１１センチメートル、縦４〜８センチメートルであることを特徴とする請求項１ないし３のいずれか１記載のゴルフパター練習機。
【請求項５】
横長方形のホールに篏合するキャップを備えていることを特徴とする請求項１ないし４のいずれか１記載のゴルフパター練習機。
【請求項６】
横長方形ホールの深部にキャップ止めが設けられていることを特徴とする請求項５記載のゴルフパター練習機。
【請求項７】
傾斜板の側端部近傍にボール取出口を設けたことを特徴とする請求項１乃至６のいずれか１項記載のゴルフパター練習機。
【請求項８】
傾斜板の人工芝マット面上であって、床板との接続部の近傍に横１０センチメートルのホールカップラインを、それより３センチメートル上方にゴルフボール打ち出し目標ラインを設ける一方、水平な人工芝マット上にゴルフボールセッティングポイントを設けたことを特徴とする請求項１記載のゴルフパター練習機。
【請求項９】
水平な人工芝マットが傾斜板方向に折り畳み可能であることを特徴とする請求項１又は２記載のゴルフパター練習機。
【請求項１０】
平板状の傾斜板、その両側端部及び上端部に上方に突出する突出縁及び前記傾斜板に接続する水平な床板をアルミ製パイプの組立体で支持することを特徴とする請求項１又は２記載のゴルフパター練習機。
【発明の詳細な説明】
【技術分野】
【０００１】
本発明は、ゴルフパター練習機、さらに詳しくは簡易で、かつ正確な距離感が習得できるゴルフパター練習機に関する。
【背景技術】
【０００２】
ゴルフのプレーにおいて、パッテング技術は非常に重要で、パッテングの善し悪でスコアが大きく左右される。そのため、従来、幅を数十センチメートル、長さを２〜３メートル程度とする帯状の人工芝マットの一端の近傍にカップを設けそのカップにボールを入れるパッテング練習機が提案されていた。しかし、該パター練習機においては、距離が一定しており、パターの距離感を習得できない欠点があった。この欠点を解消するパター練習機として、ボールの転がり距離を演算表示する円弧傾斜面を備え、円弧傾斜面の表面に距離標示の的シートを取りつけたパター練習機（機特許文献１）や、マットが敷設された傾斜板に複数個のホールを設け、各ホールにホールを塞ぐキャップを作動させるための開閉手段が設けられたゴルフパター練習機（特許文献２）などが提案されている。
【特許文献１】特開平８−２５２３５０号公報
【特許文献２】特開平１１−２４４４４１号公報
【発明の開示】
【発明が解決しようとする課題】
【０００３】
しかしながら、上記特許文献１のゴルフ練習機は距離標示の的シートで距離感を習得することから、パターでボールを打ち出すとすぐに的シートをみる必要があり、ヘッドアップの悪習が身につく欠点があった。また、特許文献２のパター練習機にあっては、傾斜面にマットを敷設し、そこに円形の複数のホールを設けることから、パター技術を正確な距離感をもって習得できない上に、幅が２メートル、高さが５メートルと大型で省スペース化には程遠いものあった。
【０００４】
こうした従来のパター練習機の欠点を解消すべく、本発明者は、鋭意研究を続けた結果、人工芝マットを敷設した傾斜板に対して特定の角度をもって人工芝マットを敷設した水平な床板を接続し、該人工芝マット及び傾斜板に横長方形のホールを複数個形成することでパッテングの正確な距離感が習得できる上に、ボールをホールに落下できグリーン上のカップインの感覚が実感でき、かつ到達距離の確認によるヘッドアップの悪習が身につくことがなく、さらに、床板が折り畳み可能で省スペース化に優れたゴルフパター練習機が得られることを見出して本発明を完成したものである。すなわち、
【０００５】
本発明は、パッテングにおける正確な距離感が習得できる上に、到達距離の確認に基づくヘッドアップの悪習が身につくことがなく、かつグリーン上のカップにボールが落ちる感覚が実感できるゴルフパター練習機を提供することを目的とする。
【０００６】
また、本発明は、室内で簡易にグリーン上の距離感が習得できるゴルフパット練習機を提供することを目的とする。
【課題を解決するための手段】
【０００７】
上記目的を達成するための本発明は、パターでボールを打ち出し、ストロークの強さによってボールの転がる距離を正確に習得できるパター練習機において、一端を高くした傾斜を有する平板状の傾斜板に人工芝マットを敷設し、その傾斜板の下端部にボールを打ち出すための水平な人工芝マットを接続し、前記傾斜板の両側端部及び上端部に上方に突出する突出縁を設け、さらに人工芝マット付き傾斜板には横長方形のホールが複数個設けられたことを特徴とするゴルフパター練習機に係る。  
【０００８】
上述のように本発明のゴルフパター練習機は、一端が高くなるようにした傾斜を有する平板状の傾斜板に人工芝マットが敷設され、該傾斜板には人工芝マットが接続され、かつそれらが支持体により支持されたゴルフパター練習機である。戦記人工芝マットとしてはカーペットマット、ゴム裏打ちカーペットマット、ゴム製マットなどが用いられる。そして、前記人工芝マット付き傾斜板にはゴルフボールが落下する横長方形のホールが複数個設けられ、そのホールにはパターの練習距離を任意に延長できるキャップが篏合できるようになっている。前記キャップは横７．５センチメートル、縦４．８センチメートルであるのがよく、距離の短いホールにキャップを篏合し、傾斜面の距離を長く保ち、長い距離のパター練習を楽しむことができる。また、傾斜板の下端部には水平な人工芝マット、好ましくは水平板の上に人工芝マットが敷設された水平板が接続されるが、接続には蝶番のような折り畳み可能な手段やゴム製の人工芝マットが用いられる。傾斜板と水平な人工芝マットは４５〜７０度の傾斜角、好ましくは５０〜６５度の傾斜角で接続される。傾斜板及び床板付き人工芝マットの固定には箱体、支持柱又はアルミ製パイプの組立体などが用いられる。傾斜板と水平な人工芝マットとの傾斜角が４５〜７０度であることでゴルフボールの転がる距離が、ゴルフ場の通常のベントグリーン（スティンプメータで測って２．７〜３メートル転がる速さ）の速さとほぼ同じくなり同程度の距離がでる。傾斜角が４５度未満では傾斜板を長くする必要があり省スペース化が困難である上に、転がる距離が前述のベントグリーンの距離と大きく外れることになる。また、傾斜角が７０度を超えると傾斜面が鋭角となりゴルフボールの打ち出しに余分の力が入り、正確なパターの習熟ができない。前記人工芝マット付き傾斜板には横長方形のホールが設けられている。前記ホールは、横７〜１１センチメートル、縦４〜８センチメートルで、距離の長いホールでは、ボールが入り易いように縦を大きめにし、好ましくは５．５センチメートルにし、距離の短いホールの縦を５センチメートルにするのがよい。ホールが前記形状であることにより打ち出されたゴルフボールは正確にホールに落下する上に、距離の長いホールの縦が少し大きいことでパターが容易となる。ホールが円形又は楕円形ではゴルフボールを正確に落下させることは至難の技であり、それを解消するためホールの径を少し大きくすると、打球の力加減にバラツキがあってもボールがホールに落下しパター技術の向上が望めない。前記横長方形のホール間の距離は、速い芝での練習をする必要がある場合には短くするなど所望により代えることができる。
【０００９】
傾斜板の側縁部近傍には、必要に応じてボール取出口が設けられ、傾斜板の裏側に設けたボール集合板などで集められたボールがこのボール取出口から排出される。前記ボール取出口を設けず、ゴルフボールが落下するままに設計してもよい。
【００１０】
上記傾斜板に接続する水平な人工芝マットの約７０センチメートルの箇所にホールセッテングポイントが付される。前記ポイントは、１〜３個、好ましくは２、３個設けられる。さらに、傾斜板の人工芝マット上であって接続部から約５センチメートルに横幅１０センチメートルのホールカップライン（ａ）を、さらにそれから約２センチメートル上方に打ち出し目標ライン（ｂ）を付し１メートルのパター技術の習得を容易とする。水平な人工芝マットの長さは、１００センチメートル程度でよいが、より長い距離のパットを安定にするための練習用として２メートルの長さであってもよい。
【００１１】
上記傾斜板及び水平な床板の幅を１５〜３５センチメートル、好ましくは２０〜３０センチメートルとし省スペース化を図るのがよい。
【発明の効果】
【００１２】
本発明のゴルフパター練習機は、平板状の傾斜板の一端を高くし、水平な床板と傾斜板とに特定の角度を持たせることで、省スペース化が図れる上に、ゴルフボールの転がる距離がゴルフ場の通常のベントグリーンで転がる距離とほぼ同じくでき、正確なパッテング距離の習熟ができる。また、本発明のゴルフパット練習機は、傾斜板及び人工芝マットに横長方形のホールを複数個設け、それにキャップを被せるすることで、任意の距離のパッテイングの習得ができ、さらに、打ち出されたゴルフボールはホールに落下し、ボールの到達距離を確認する必要がなくヘッドアップの悪習が身につくことがないとともに、ゴルフボールのカップインする実感が体験できる。前記に加えて本発明のゴルフパター練習機の支持体をアルミ製パイプの組合体とすることで一段と軽量化及び省スペース化が図られる。
【発明を実施するための最良の形態】
【００１３】
図１は、本発明のゴルフパター練習機の一実施形態を示す斜視図であり、図２は、図１の平面図であり、図３は、図１のＡ−Ａ断面図である。また、図４は、傾斜板等の支持をアルミ製パイプの組立体としたゴルフパター練習機の概略断面図であり、図５は、前記アルミ製パイプ組立体を固定する手段を示す図であり、図６は、最大１４メートル練習用、図７は最大１０メートル練習用、図８は最大７メートル練習用の練習機でである。
【００１４】
図１では、上方が開口し、開口部の一端が高くなり水平な床板と接合する部位が低くなっている箱体で傾斜板及び床板を固定したゴルフパター練習機である。前記図１において、１０は箱体、１２は人工芝マット、１３は傾斜板の両側縁部で上方に突出する側縁突出部、１４は上端部で上方に突出する上縁突出部、１５はボール取出口、１６は横長方形のホール、１７は水平な床板、１８は接続部、１９はキャップを示す。前記箱体１０は、傾斜板１１の接続部１８からの水平方向の長さが５９センチメートル、傾斜板の上縁部までの高さが７１センチメートル、傾斜板１１及び床板を固定する幅が２９センチメートルである。そして、傾斜板１１と水平な床板１７とのなす角度は５９度である。傾斜板１１及びその上に敷設された人工芝マット１２には、６個の横８センチメートル、縦４．５センチメートルの横長方形のホール１６が、パターの練習で最も必要とされる３メートル、５メートル、７メートル、１１メートル、１３メートル、１５メートル練習用として設けられている。前記３メートルのホールは、傾斜板１１の下端部１８から傾斜にそって８センチメートルの位置に設けられ、それから６．５センチメートル毎に５メートル用、７メートル用、１１メートル用、１３メートル用、１５メートル用のホールが設けられている。さらに、前記傾斜板１１の側縁突起部１３の近傍には、ボール取出口１５が設けられ、そのボール取出口からは図３のボール集合板２０等で集められたゴルフボールが排出される。該ボール取出口１５の高さは排出されたゴルフボールが水平な床板１７の人工芝マット１２に設けたボールセッテイングライン（ａ）にまで達する位置がよい。ボールセッテイングライン（ａ）は接続部１８から７０センチメートルのところに設けられる。また、前記側縁突出部１３及び上縁突出部１４を設け打ち出されたゴルフボールの飛び出しを防止する。
【００１５】
一方、傾斜板１１の接続部１８から傾斜面に沿って５センチメートルのところに横幅１０センチメートルのホールカップライン（ｂ）を付し、さらにそれから約２センチメートルの位置にパット確認ライン（ｃ）を設け１メートルのパッテイングの力加減を習得する。
【００１６】
図６〜８の練習機は、図１の練習機より省スペース化に配慮が練習機で箱体１０がより小型かし、図６の練習機は、距離３、５、７、１０、１２及び１４メートル練習用で、箱体１０の横幅が２７センチメートル、水平板の幅が１５センチメートル、傾斜板１１の接続部１８からの水平方向の長さが５７センチメートル、傾斜板の上縁部までの高さが６８センチメートル、水平板の接続部からの長さが１０５センチメートルである。図７の練習機は距離３、５、７、１０メートル練習用で、図８の練習機は、距離３、５、７センチメートル練習用である。前記図７の練習機において、箱体１０の横幅は２０センチメートル、傾斜板１１の接続部１８からの水平方向の長さは４９センチメートル、傾斜板の上縁部までの高さは５４センチメートル、水平板の接続部からの長さは１０５センチメートルである。図８の練習機の箱体１０の横幅は２０センチメートル、傾斜板１１の接続部１８からの水平方向の長さは４２センチメートル、傾斜板の上縁部までの高さは４８センチメートル、水平板の接続部からの長さは１０５センチメートルである。前記図７及び８のパター練習機の傾斜板１１と水平な床板１７とのなす角度は５９度がよい。そして、傾斜板に設けたホールで、図６の練習機では１２、１４メートルのホールが、図７の練習機では、１０メートルのホールが、図８の練習機では７メートルのホールが横８センチメートル、縦５．５センチメートル、他のホールは全て横８センチメートル、縦５センチメートルとなっている。前記ホールにおいて７メートルと１０メートルの間隔が１３センチメートル、他のホールの間隔はすべて８．５センチメートルとなっている。
【００１７】
本発明のゴルフパター練習機は、軽量化・省スペース化のため図４に示すアルミ製パイプ２１の組立体で支持してもよい。該組立体は図４にみるように傾斜板上端部及び接続部１８にヒンジで上下可動に取りつけられ、不使用時には折り畳むことができる。そして、使用時には、図５の固定部材２２で固定し支持体用組立体とする。
【産業上の利用可能性】
【００１８】
本発明のゴルフパター練習機は、省スペース化に優れている上に正確な距離感が習得でき、ゴルフパターの室内練習機として優れたものである。
【図面の簡単な説明】
【００１９】
【図１】本発明のゴルフパター練習機を説明するための斜視図である。
【図２】図１の平面図である。
【図３】図１におけるＡ−Ａ断面図である。
【図４】支持体をアルミ製パイプとしたときの説明図である。
【図５】アルミ製パイプ組立体を固定するためのストッパーの概略図である。
【図６】最大１４メートル練習用の練習機の斜視図である。
【図７】最大１０メートル練習用の練習機の斜視図である。
【図８】最大７メートル練習用の練習機の斜視図である。
【符号の説明】
【００２０】
１：ゴルフパター練習機
１０：箱体
１１：傾斜板
１２：人工芝マット
１３：側縁突出部
１４：上縁突出部
１５：ボール取出口
１６：ホール
１７：床板
１８：傾斜板下端部
１９：キャップ
２０：ボール集合板
２１：アルミ製パイプ
２２：固定部材
ａ：ボールセッティングポイント
ｂ：ホールカップライン
ｃ：パッテング目標ライン
【図１】
2005324005.tif 000003
【図２】
2005324005.tif 000004
【図３】
2005324005.tif 000005
【図４】
2005324005.tif 000006
【図５】
2005324005.tif 000007
【図６】
2005324005.tif 000008
【図７】
2005324005.tif 000009
【図８】
2005324005.tif 000010